(57)【特許請求の範囲】
【請求項１】
ターミナル建築構造物と航空機との間を連結して旅客の乗降通路を形成するパッセンジャー・ボーディング・ブリッジであって、
前記ターミナル建築構造物側に設けられたロタンダと、
前記ロタンダに対して水平方向へ回動可能に接続され、かつ、軸方向へ伸縮可能なトンネル部と、
前記トンネル部の航空機側先端部に設けられているヘッドと、
前記ヘッドと航空機乗降口との間を連結する小型機用補助通路と、
前記ヘッドよりも上部に設置され、ヘッド上部に位置する収納位置及びヘッド上部から前記航空機の機体上方側へ突出する通路形成位置の間をスライド移動可能とした可動屋根と、
前記可動屋根の屋根内面に敷設されたガイドレールと、
前記ヘッドの上面に取り付けられ、前記ガイドレール内を回転移動する屋根支持ローラと、
前記可動屋根を駆動する駆動装置と、
を具備して構成されることを特徴とするパッセンジャー・ボーディング・ブリッジ。
【請求項２】
前記可動屋根の先端部は、前記通路形成位置において前記航空機の胴体中心軸位置を超える位置まで移動することを特徴とする請求項１に記載のパッセンジャー・ボーディング・ブリッジ。
【請求項３】
前記可動屋根が、両側面から吊り下げられて一体に開閉移動する、あるいはカーテンレールが単独で移動することにより個別に開閉移動する側面カーテンを備えていることを特徴とする請求項１または２に記載のパッセンジャー・ボーディング・ブリッジ。
【請求項４】
前記側面カーテンのカーテンレールは、航空機側の一部が下向きに折曲可能であることを特徴とする請求項３に記載のパッセンジャー・ボーディング・ブリッジ。
【請求項５】
ターミナル建築構造物と航空機との間を連結して旅客の乗降通路を形成するパッセンジャー・ボーディング・ブリッジであって、
前記ターミナル建築構造物側に設けられたロタンダと、
前記ロタンダに対して水平方向へ回動可能に接続され、かつ、軸方向へ伸縮可能なトンネル部と、
前記トンネル部の航空機側先端部に設けられているヘッドと、
前記ヘッドと航空機乗降口との間を連結する小型機用補助通路と、
前記ヘッドの上部に設置され、ヘッド上部に位置する収納位置及びヘッド上部から前記航空機の機体上方側へ突出する通路形成位置の間を移動可能とした可動屋根と、
を具備して構成され、
前記可動屋根が、両側面から吊り下げられて一体に開閉移動する、あるいはカーテンレールが単独で移動することにより個別に開閉移動する側面カーテンを備え、
前記側面カーテンのカーテンレールは、航空機側の一部が下向きに折曲可能であることを特徴とするパッセンジャー・ボーディング・ブリッジ。
【請求項６】
前記側面カーテンが、前記可動屋根の先端部側両側面から吊り下げられた、あるいは可動屋根とは独立して移動するカーテンレールから吊り下げられたカーテンを備え、
前記カーテンの下端部は、前記通路形成位置において前記航空機の胴体中心軸位置から周方向の機体両側へ接するように設けられていることを特徴とする請求項３から５のいずれか１項に記載のパッセンジャー・ボーディング・ブリッジ。
【請求項７】
ターミナル建築構造物と航空機との間を連結して旅客の乗降通路を形成するパッセンジャー・ボーディング・ブリッジであって、
前記ターミナル建築構造物側に設けられたロタンダと、
前記ロタンダに対して水平方向へ回動可能に接続され、かつ、軸方向へ伸縮可能なトンネル部と、
前記トンネル部の航空機側先端部に設けられているヘッドと、
前記ヘッドと航空機乗降口との間を連結する小型機用補助通路と、
前記ヘッドの上部に設置され、ヘッド上部に位置する収納位置及びヘッド上部から前記航空機の機体上方側へ突出する通路形成位置の間を移動可能とした可動屋根と、
を具備して構成され、
前記可動屋根が、両側面から吊り下げられて一体に開閉移動する、あるいはカーテンレールが単独で移動することにより個別に開閉移動する側面カーテンを備え、
前記側面カーテンが、前記可動屋根の先端部側両側面から吊り下げられた、あるいは可動屋根とは独立して移動するカーテンレールから吊り下げられたカーテンを備え、
前記カーテンの下端部は、前記通路形成位置において前記航空機の胴体中心軸位置から周方向の機体両側へ接するように設けられていることを特徴とするパッセンジャー・ボーディング・ブリッジ。
【請求項８】
前記可動屋根の両側面に側壁部を備えていることを特徴とする請求項１または２に記載のパッセンジャー・ボーディング・ブリッジ。
【請求項９】
ターミナル建築構造物と航空機との間を連結して旅客の乗降通路を形成するパッセンジャー・ボーディング・ブリッジであって、
前記ターミナル建築構造物側に設けられたロタンダと、
前記ロタンダに対して水平方向へ回動可能に接続され、かつ、軸方向へ伸縮可能なトンネル部と、
前記トンネル部の航空機側先端部に設けられているヘッドと、
前記ヘッドと航空機乗降口との間を連結する小型機用補助通路と、
前記ヘッドよりも上部に設置され、ヘッド上部に位置する収納位置及びヘッド上部から前記航空機の機体上方側へ突出する通路形成位置の間をスライド移動可能とした可動屋根と、
を具備して構成され、
前記可動屋根が、両側面から吊り下げられて一体に開閉移動する、あるいはカーテンレールが単独で移動することにより個別に開閉移動する側面カーテンを備えていることを特徴とするパッセンジャー・ボーディング・ブリッジ。
【請求項１０】
ターミナル建築構造物と航空機との間を連結して旅客の乗降通路を形成するとともに、ヘッドと航空機乗降口との間を連結する小型機用補助通路を備えているパッセンジャー・ボーディング・ブリッジの乗降通路形成方法であって、
前記ヘッドよりも上部に可動屋根を設置し、ガイドレールを前記可動屋根の内面に敷設し、屋根支持ローラを前記ヘッドの上面に取り付け、前記可動屋根を駆動する駆動装置によって、前記可動屋根が、ヘッド上部に位置する収納位置及びヘッド上部から前記航空機の機体上方側へ突出する通路形成位置の間をスライド移動可能として、前記屋根支持ローラが前記ガイドレール内を回転移動し、前記小型機用補助通路の使用時に前記可動屋根で上方を覆うことを特徴とするパッセンジャー・ボーディング・ブリッジの乗降通路形成方法。
【請求項１１】
ターミナル建築構造物と航空機との間を連結して旅客の乗降通路を形成するとともに、ヘッドと航空機乗降口との間を連結する小型機用補助通路を備えているパッセンジャー・ボーディング・ブリッジの乗降通路形成方法であって、
前記ヘッドの上部に可動屋根を設置し、前記可動屋根が、ヘッド上部に位置する収納位置及びヘッド上部から前記航空機の機体上方側へ突出する通路形成位置の間を移動可能として、前記小型機用補助通路の使用時に前記可動屋根で上方を覆い、
前記可動屋根が、両側面から吊り下げられて一体に開閉移動する、あるいはカーテンレールが単独で移動することにより個別に開閉移動する側面カーテンを備え、
前記側面カーテンのカーテンレールは、航空機側の一部が下向きに折曲可能であることを特徴とするパッセンジャー・ボーディング・ブリッジの乗降通路形成方法。
【請求項１２】
ターミナル建築構造物と航空機との間を連結して旅客の乗降通路を形成するとともに、ヘッドと航空機乗降口との間を連結する小型機用補助通路を備えているパッセンジャー・ボーディング・ブリッジの乗降通路形成方法であって、
前記ヘッドの上部に可動屋根を設置し、前記可動屋根が、ヘッド上部に位置する収納位置及びヘッド上部から前記航空機の機体上方側へ突出する通路形成位置の間を移動可能として、前記小型機用補助通路の使用時に前記可動屋根で上方を覆い、
前記可動屋根が、両側面から吊り下げられて一体に開閉移動する、あるいはカーテンレールが単独で移動することにより個別に開閉移動する側面カーテンを備え、
前記側面カーテンが、前記可動屋根の先端部側両側面から吊り下げられた、あるいは可動屋根とは独立して移動するカーテンレールから吊り下げられたカーテンを備え、
前記カーテンの下端部は、前記通路形成位置において前記航空機の胴体中心軸位置から周方向の機体両側へ接するように設けられていることを特徴とするパッセンジャー・ボーディング・ブリッジの乗降通路形成方法。
【発明の詳細な説明】
【技術分野】
【０００１】
本発明は、ターミナルビルと航空機との間を接続して乗客や乗員を乗降させる設備であるパッセンジャー・ボーディング・ブリッジ（Passenger Boarding bridge；ＰＢＢ）に係り、特に、機体内蔵タラップを備えているような小型の航空機にも適用できるパッセンジャー・ボーディング・ブリッジ及びその乗降通路形成方法に関する。
【背景技術】
【０００２】
パッセンジャー・ボーディング・ブリッジ（以下、「ＰＢＢ」又は「搭乗橋」と呼ぶ）は、空港のターミナルビルと航空機との間を連絡するトンネル状の歩行通路であり、ターミナルビルと航空機との間を連結することにより、乗客が直接乗降できるようにしたものである。このようなＰＢＢは、１台の装置（設備）で大小の各種航空機に広く対応できる汎用性を有することが望ましい。
【０００３】
一方、航空機側においては、特に小型の航空機においては、エアステア(Airstair)と呼ばれる乗降用の機体内蔵タラップを備えたものがある。このような機体内蔵タラップは、ドア開に伴って航空機の乗降口に設置された状態となるが、安全上の観点からタラップ通路の両側には手摺が設けられている。この手摺は、折り畳むことができない構造となっているものもあるため、中大型機用ＰＢＢと同様に航空機の乗降口に対して正面からＰＢＢを近づけて取り付けようとすれば、手摺の存在が障害になるという問題を有している。
【０００４】
また、小型の航空機は、ＰＢＢを使用して乗降する中大型機と比較して、航空機胴体の外径寸法が小さくなる。このため、航空機胴体に押し付けて乗降客を風雨から守るＰＢＢ先端の幌は、外径寸法の大きい中大型機用を小型機に適用した場合、例えば図１０（ｃ）に示すように、航空機ＡＰに開口する乗降口Ｅの周囲を完全に覆うことができずに大きな隙間を生じてしまう。
【０００５】
図１０において、（ａ）は中大型機用ＰＢＢ１の幌７が縮んだ状態，（ｂ）は（ａ）の幌７を伸ばして航空機ＡＰの乗降口Ｅを覆った状態を示している。この場合、幌７が乗降口Ｅの周囲に密着し、乗降口Ｅからターミナルビルへ通じる乗降用の歩行通路は風雨から守られた状態にある。しかし、図１０（ｃ）に示すように、同じＰＢＢ１が備える同じ大きさの幌７を小型の航空機ＡＰに適用すると、航空機ＡＰに対する幌７の接近が手摺を備えたエアステアによって阻止されるので、幌７と航空機ＡＰとの間には大きな隙間が形成され、この結果、乗降用の歩行通路に対する風雨の侵入を許してしまう。
なお、図中の符号Ｄは航空機ＡＰのドアであり、このドアＤには機体内蔵タラップ及び手摺が設けられ、さらに、乗降口Ｅには乗降通路の一部を形成する小型機用補助通路１０が連結されている。
【０００６】
また、下記の特許文献１では、機体外面の出入口周辺部に押し付けられるクッション部材の先端面に、機体外面に当接して湾曲形状に対応するような門型形状のエアバックを設けることで、大型機や小型機等の機体の大きさが異なる航空機に使用可能とし、しかも、機体の出入口周辺部との間に形成される隙間を極力減少できるボーディングブリッジ用キャノピーが提案されている。
【先行技術文献】
【特許文献】
【０００７】
【特許文献１】特開平１０−２５０６９５号公報
【発明の概要】
【発明が解決しようとする課題】
【０００８】
上述したＰＢＢは、１台の装置で大型機から小型機まで各種航空機に広く対応できることが望ましい。
しかしながら、中大型機用のＰＢＢをそのままエアステアを備えた小型の航空機に適用しても、機体に幌を密着させて風雨の侵入を防止することができないため、中大型機用のＰＢＢを小型機にも適用可能とする対策が望まれている。
【０００９】
また、中大型機用の幌７は、外径の小さい小型機には大きすぎるため、仮に機体の乗降口まで接近できたとしても、乗降口の周囲を完全に覆うように密着させて風雨の侵入を防ぐことは困難である。すなわち、乗降口Ｅの高さは、図１０に示すように、中大型機の高さＥｈと小型機の高さＥｈ´とに大きな違いはないが、機体の径が大きく異なるため、小型機では幌７を大きく湾曲させて密着させることが必要となり、この結果、幌７の共用は困難である。
本発明は、上記の課題を解決するためになされたもので、その目的とするところは、従来の中大型機はもとより、小型機においても雨や風の侵入を防止または抑制できるようにしたパッセンジャー・ボーディング・ブリッジ及びその乗降通路形成方法を提供することにある。
【課題を解決するための手段】
【００１０】
本発明は、上記の課題を解決するため、下記の手段を採用した。
本発明に係るパッセンジャー・ボーディング・ブリッジは、ターミナル建築構造物と航空機との間を連結して旅客の乗降通路を形成するパッセンジャー・ボーディング・ブリッジであって、前記ターミナル建築構造物側に設けられたロタンダと、前記ロタンダに対して水平方向へ回動可能に接続され、かつ、軸方向へ伸縮可能なトンネル部と、前記トンネル部を上下方向に昇降可能にする昇降装置と、前記トンネル部の航空機側先端部に設けられている旋回可能なヘッドと、前記ヘッドと航空機乗降口との間を連結する小型機用補助通路と、前記ヘッドよりも上部に設置され、ヘッド上部に位置する収納位置及びヘッド上部から前記航空機の機体上方側へ突出する通路形成位置の間をスライド移動可能とした可動屋根と、前記可動屋根の屋根内面に敷設されたガイドレールと、前記ヘッドの上面に取り付けられ、前記ガイドレール内を回転移動する屋根支持ローラと、前記可動屋根を駆動する駆動装置とを具備して構成されることを特徴とするものである。
【００１１】
このような本発明によれば、ヘッドよりも上部に設置され、ヘッド上部に位置する収納位置及びヘッド上部から航空機の機体上方側へ突出する通路形成位置の間をスライド移動可能とした可動屋根を備えているので、パッセンジャー・ボーディング・ブリッジを小型機に適用し、小型機用補助通路を使用して乗降通路を形成する場合には、小型機のエアステアに妨げられることなく通路上方を可動屋根により覆う降雨対策が可能となる。
【００１２】
上記の発明において、前記可動屋根の先端部は、前記通路形成位置において前記航空機の胴体中心軸位置を超える位置まで移動させることが好ましく、これにより、可動屋根の先端部から落下した雨水を、機体の航空機乗降口とは反対側の側面へ落下させることができる。
【００１３】
本発明に係るパッセンジャー・ボーディング・ブリッジは、ターミナル建築構造物と航空機との間を連結して旅客の乗降通路を形成するパッセンジャー・ボーディング・ブリッジであって、前記ターミナル建築構造物側に設けられたロタンダと、前記ロタンダに対して水平方向へ回動可能に接続され、かつ、軸方向へ伸縮可能なトンネル部と、前記トンネル部の航空機側先端部に設けられているヘッドと、前記ヘッドと航空機乗降口との間を連結する小型機用補助通路と、前記ヘッドよりも上部に設置され、ヘッド上部に位置する収納位置及びヘッド上部から前記航空機の機体上方側へ突出する通路形成位置の間をスライド移動可能とした可動屋根と、を具備して構成され、前記可動屋根は、両側面から吊り下げられて一体に開閉移動する側面カーテンを備えていることを特徴とするものである。これにより、通路上方を可動屋根により覆われた乗降通路に対する風の侵入を防止または抑制でき、さらに、風の影響で雨が侵入することも防止または抑制できる。
この場合、前記側面カーテンのカーテンレールは、航空機側の一部を下向きに折曲可能とすることが好ましく、これにより、移動するカーテンにより機体側面が擦られることを防止または抑制できる。
また、カーテンレールを可動屋根から独立して移動させることにより、カーテンを可動屋根動作と関係なく単独に移動させることも可能である。
【００１４】
この場合、前記側面カーテンが、前記可動屋根の先端部側両側面から吊り下げられたカーテン、あるいは、可動屋根から独立して移動できるカーテンレールに吊り下げられたカーテンを備え、前記カーテンの下端部は、前記通路形成位置において前記航空機の胴体中心軸位置から周方向の機体両側へ接するように設けられていることが好ましく、これにより、可動屋根と航空機の乗降口上方との間に形成される隙間を確実に覆って風雨の侵入を防止または抑制することができる。
【００１５】
上記の発明において、前記可動屋根の両側面に側壁部を備えていることが好ましく、これにより、側面カーテンを設置しない、あるいは、移動屋根とは独立して移動できるカーテンを使用しない場合において、通路上方を可動屋根により覆われた乗降通路に対する風の侵入を防止または抑制でき、さらに、風の影響で雨が侵入することも防止または抑制できる。この場合、側壁部の高さ（長さ）に応じて、防止する雨の侵入角度範囲を調整できる。
【００１６】
本発明のパッセンジャー・ボーディング・ブリッジの乗降通路形成方法は、ターミナル建築構造物と航空機との間を連結して旅客の乗降通路を形成するとともに、ヘッドと航空機乗降口との間を連結する小型機用補助通路を備えているパッセンジャー・ボーディング・ブリッジの乗降通路形成方法であって、前記ヘッドよりも上部に可動屋根を設置し、ガイドレールを前記可動屋根の内面に敷設し、屋根支持ローラを前記ヘッドの上面に取り付け、前記可動屋根を駆動する駆動装置によって、前記可動屋根が、ヘッド上部に位置する収納位置及びヘッド上部から前記航空機の機体上方側へ突出する通路形成位置の間をスライド移動可能として、前記屋根支持ローラが前記ガイドレール内を回転移動し、前記小型機用補助通路の使用時に前記可動屋根で上方を覆うことを特徴とするものである。
【００１７】
このような本発明によれば、ヘッドよりも上部に可動屋根を設置し、この可動屋根が、ヘッド上部に位置する収納位置及びヘッド上部から航空機の機体上方側へ突出する通路形成位置の間をスライド移動可能として、小型機用補助通路の使用時に前記可動屋根で上方を覆うので、パッセンジャー・ボーディング・ブリッジを小型機に適用する場合においても、小型機用補助通路を使用して乗降通路を形成し、さらに、移動屋根を通路形成位置に移動させることにより、小型機のエアステアに妨げられることなく通路上方を可動屋根により覆い、乗降客に降雨の影響が及ぶことを防止できる。
【発明の効果】
【００１８】
上述した本発明によれば、従来の中大型機用に小型機用補助通路を設けたパッセンジャー・ボーディング・ブリッジを小型機に適用する場合であっても、小型機のエアステアに妨げられることなく乗降通路を形成でき、しかも、この乗降通路は雨や風の侵入を防止または抑制したものとなる。
【図面の簡単な説明】
【００１９】
【図１】本発明の一実施形態に係る移動屋根を備えたパッセンジャー・ボーディング・ブリッジを示す図で、（ａ）は移動屋根を伸ばして乗降位置にした状態を示す要部の平面図、（ｂ）は（ａ）の側面図である。
【図２】本発明の一実施形態に係るパッセンジャー・ボーディング・ブリッジの全体構成を示す図で、（ａ）は平面図、（ｂ）は側面図である。
【図３】図１に示したカーテン及びカーテンレールの設置例として移動屋根の縮状態を示す平面図である。
【図４】図１に示した移動屋根を備えたパッセンジャー・ボーディング・ブリッジの縦断面図である。
【図５】図３に示す縮状態の側面図である。
【図６】風によるカーテン下部の揺れ対策例を示す図であり、（ａ）は錘を使用した対策例、（ｂ）はガイドロッドを使用した対策例である。
【図７】移動屋根と連動して閉じるカーテンの動作を説明する図であり、（ａ）は通常のカーテンレールを使用した場合を示し、（ｂ）は先端部側に折曲構造を設けた場合を示している。
【図８】側面カーテンに代えて移動屋根側に側壁を設ける説明図であり、（ａ）は側壁を低くした場合、（ｂ）は側壁を高くした場合を示している。
【図９】図１に示したパッセンジャー・ボーディング・ブリッジを大型機に適用した場合を示す図で、（ａ）は平面図、（ｂ）は側面図である。
【図１０】従来の中大型機用パッセンジャー・ボーディング・ブリッジを示す図であり、（ａ）は中大型機の乗降口に接近した状態、（ｂ）は中大型機の機体に幌を密着させた状態、（ｃ）は小型機に接近させた状態である。
【発明を実施するための形態】
【００２０】
以下、本発明に係る旋回床、パッセンジャー・ボーディング・ブリッジ及びその乗降通路形成方法について、その一実施形態を図１〜図９に基づいて説明する。
パッセンジャー・ボーディング・ブリッジ（以下、「ＰＢＢ」と呼ぶ）１は、例えば空港のターミナルビル（ターミナル建築構造物）と航空機との間を連結して旅客の乗降通路を形成するものである。すなわち、ＰＢＢ１は、空港のターミナルビルと航空機の乗降口との間を連絡するトンネル状の乗降用歩行通路であるから、乗降客は、航空機に対し屋外に出ることなく直接乗降できるようになる。
【００２１】
図２に示すＰＢＢ１は、ターミナルビル側へ通じる固定橋ＦＢに固定して設けられるロタンダ２と、このロタング２に対し水平方向へ回動可能に接続されるとともに、軸方向へ伸縮可能な筒状断面のトンネル部３と、このトンネル部３を上下方向へ昇降可能にする昇降装置５ｂと、このトンネル部３の航空機側先端部に設けられている旋回可能なヘッド４とを備えている。
図示のトンネル部３は、ロタンダ２側の基端トンネル３ａと、この基端トンネル３ａの先端側（航空機側）を入れ子式に嵌合された先端トンネル３ｂとにより、軸方向（長手方向）の伸縮が可能な構造となっている。
【００２２】
そして、本実施形態のＰＢＢ１は、可動脚５と固定脚６とにより、地表面より離間した状態に支持されている。
一方の可動脚５は、先端トンネル３ｂの航空機側先端部近傍を下面側から支持し、所望の方向へ自力で走行可能な駆動輪５ａ及び駆動機構（不図示）と、トンネル部３を昇降可能とする昇降装置５ｂを備えている。また、他方の固定脚６は、地上に固定設置されてロタンダ２の下部を支持している。従って、トンネル部３は、可動脚が駆動操作されることにより、航空機へ接近して乗降口に連結する動作や、乗降口の高さにヘッド４の高さを合わせる動作や、乗降口から分離して航空機から離間する動作が可能になる。
【００２３】
さらに、本実施形態のＰＢＢ１は、例えば図１に示すように、航空機ＡＰの乗降口Ｅとの間に乗降通路の一部を形成する小型機用補助通路１０を備えている。図示の小型機用補助通路１０は、例えばＰＢＢ１を構成するヘッド４の床下に旋回可能に取り付けられており、ヘッド４の床下に保持される収納位置と、乗降口Ｅとヘッド４との間に乗降通路を形成する通路形成位置（図１に破線表示）との間において、平面上を旋回可能に支持されている。
【００２４】
そして、ヘッド４の上部には、ヘッド上部に位置する収納位置（図２に想像線で表示した位置）と、ヘッド上部から航空機ＡＰの機体上方側へ突出した通路形成位置（図１及び図２に実線で表示した位置）との間をスライドするようにして移動可能な可動屋根２０が設置されている。この可動屋根２０は、小型機用補助通路１０の上部を確実に覆うことができるように、平面視においてヘッド４より大きな面積を有している。
また、この可動屋根２０は、例えば図４に示すように、屋根内面２０ａに敷設された断面コ字状のガイドレール２１を備えている。このガイドレール２１は、左右一対がスライド方向において平行に設けられている。
【００２５】
一方、ヘッド４の上面には、ガイドレール２１内を回転移動する屋根支持ローラ２２が複数個（例えば１本のガイドレール２１に対応して２個ずつ）取り付けられている。この結果、可動屋根２０は、駆動装置２３の動作によってガイドレール２１に沿った往復移動（図２の矢印Ｓ参照）が可能となっている。なお、駆動装置２３は、例えば油圧のジャッキや、電動機により駆動されるボールネジを用いたスライド機構や、ラック＆ピニオン機構などを採用でき、特に限定されることはない。
【００２６】
このような可動屋根２０を備えたＰＢＢ１は、小型機用補助通路１０を備えたＰＢＢ１を小型の航空機ＡＰに適用する場合において、可動屋根２０を通路形成位置に移動させれば、航空機ＡＰとヘッド４との間を接続する小型機用補助通路１０の上部を覆う降雨対策が可能となる。すなわち、図１０（ｃ）に示すように、幌７を機体に密着させて風雨の侵入を防げない場合でも、小型機用補助通路１０の上部が大きな可動屋根２０により覆われているので、乗降客が受ける降雨の影響を最小限に抑えることが可能になる。
【００２７】
また、上述した可動屋根２０の先端部２０ｂは、通路形成位置において航空機ＡＰの胴体中心軸位置を超える位置まで移動させるとよい。すなわち、可動屋根２０の先端部２０ｂが航空機ＡＰの胴体中心軸位置を超える位置にあると、可動屋根２０の先端部２０ｂから円形断面の機体に落下した雨水は、航空機ＡＰの乗降口Ｅと反対側へ落下していくので、乗降客に対する雨水の影響をより一層低く抑えることが可能になる。
【００２８】
また、上述した可動屋根２０は、両側面から吊り下げられて一体に開閉移動する側面カーテン３０を備えている。この側面カーテン３０は、例えばビニル製のカーテンを用い、可動屋根２０の屋根内面２０ａに固定したカーテンレール３１に吊り下げたものである。なお、図示は省略しているが、カーテンレール３１をヘッド４の上部構造から支持し、カーテンレール３１を稼働屋根２０と切り離すことにより、カーテンを単体で移動させるようにした構造も可能である。
【００２９】
このような側面カーテン３０は、可動屋根２０が収納位置にある状況において、カーテン収納箱３２の内部に折り畳まれた状態で収納され、一端部側がカーテン収納箱３２内の適所に固定されている。
なお、カーテン３０の下端部には、風による揺れを抑えるため、例えば図６（ａ）に示すように錘３３を吊り下げる揺動対策、あるいは、図６（ｂ）に示すように下端部から吊り下げた複数のリング３４をガイドロッド３５に通す揺動対策が施されている。
【００３０】
このような側面カーテン３０を設けると、小型機用補助通路１０により形成された乗降通路は、通路上方が可動屋根２０により覆われていることに加えて、両側面も覆うことができる。このため、乗降通路は周囲を覆われた略トンネル状となり、乗降通路に対する風の侵入だけでなく、風の影響を受けた雨が側面から侵入することも防止または抑制できるようになる。
【００３１】
上述した側面カーテン３０は、例えば図７（ｂ）に示すように、カーテンレール３１の航空機ＡＰ側となる先端部３１ａが、下向きに折曲可能な構造とすることが望ましい。
すなわち、カーテンレール３１の一部である先端部３１ａは、屋根内面２０ａに対して部分的に固定されない構造とされる。具体的には、例えば図７（ｂ）に示すように、先端部３１ａがヒンジ３６を介して折曲可能とされ、さらに、先端部３１ａをコイルばね３７等により引き上げておく構造を例示できる。この場合、コイルばね３７はあまり強くする必要はなく、収納位置において側面カーテン３０を引き上げ、カーテンレール３１の直線を維持できればよい。
【００３２】
このような折曲構造のカーテンレール３１を採用することにより、図７（ａ）に示すように、側面カーテン３０の下端部側が機体ＡＰの側面に到達すると、摩擦抵抗等により比較的弱いコイルばね３７による引き上げ力が負けることとなる。
このため、先端部３１ａは、図７（ｂ）に想像線で示す直線状態から、実線で示すように下方へ向けて折曲される。この結果、側面カーテン３０の下端部は、可動屋根２０がさらに移動しても航空機ＡＰの側面に対してほとんど移動することはなく、従って、航空機ＡＰの側面となる外表面が側壁カーテン３０により擦られることを防止できる。
【００３３】
さらに、本実施形態では、例えば図１に示すように、上述した側面カーテン３０に加えて、可動屋根２０の先端部２０ｂ側となる両側面から吊り下げられたカーテン４０を備えている。このカーテン４０は、可動屋根２０が通路形成位置に移動すると、カーテン４０の下端部が航空機ＡＰの上面に接して側面を塞ぐものである。従って、このカーテン４０は、通路形成位置において、航空機ＡＰの胴体中心軸位置から周方向の機体両側へ接する範囲の長さを有していればよい。
このようなカーテン４０を設けることにより、通路形成位置にある可動屋根２０と航空機ＡＰの乗降口上方との間において、可動屋根２０の屋根内面２０ａと航空機ＡＰの外表面との間に形成される隙間を確実に覆い、乗降通路に対する風雨の侵入をより一層確実に防止または抑制することができる。
【００３４】
ところで、上述した実施形態では、可動屋根２０の両側面に側面カーテン３０を取り付けていたが、例えば図８に示すように、側壁部５０を備えた構成としてもよい。なお、図中の符号Ｈは手摺である。
この側壁部５０は、上述した側面カーテン３０やカーテン４０を備えている構造と比較すれば、高さ(長さ)によっては乗降通路に対する雨の侵入防止効果は劣るものの、雨に対する気遣いに応じて高さを変化させれば、強風時における横殴りの雨以外は対応可能である。すなわち、通路上方を可動屋根２０により覆われた乗降通路に対する風の侵入を防止または抑制でき、さらに、風の影響で雨が侵入することも防止または抑制できる。
【００３５】
以下では、この側壁部５０について、図８を参照して具体的に説明する。
図８（ａ）に示す側壁部５０は、可動屋根２０から下向きに高さｈａの範囲に設けられている。このため、小型機用補助通路１０の側端部に対し、鉛直線に対して角度θａより小さい角度で侵入する雨を防ぐことができる。
また、図８（ｂ）に示す側壁部５０Ａのように、可動屋根２０から下向きに高さｈｂの範囲に設ければ、小型機用補助通路１０の側端部に対し、鉛直線に対して角度θｂより小さい角度で侵入する雨を防ぐことができる。すなわち、側壁部５０より長さを延長して高くした（ｈｂ＞ｈａ）側壁部５０Ａは、角度θａと角度θｂの差分だけ侵入する雨を防ぐ範囲が拡大するので、風の影響を考慮して雨の侵入をどこまで防ぐかに応じて高さを適宜設定すればよい。
【００３６】
上述した可動屋根２０を備えたＰＢＢ１は、可動屋根２０を通路形成位置に移動させることで小型機用補助通路１０を使用する小型の航空機ＡＰに対応可能となる。
一方、小型機用補助通路１０を使用しない中大型の航空機ＡＰに可動屋根２０を備えたＰＢＢ１を使用する場合には、例えば図９に示すように、小型機用補助通路１０を収納位置に旋回させるとともに、可動屋根２０も収納位置に移動させる。この状態では、小型機用補助通路１０や可動屋根２０が収納位置にあるので、これらに妨げられることなくヘッド４が航空機ＡＰに接近し、幌７を伸ばして乗降口Ｅを覆うことができる。この結果、ターミナルビルに通じる乗降用の歩行通路は、風雨から守られたものとなる。
【００３７】
すなわち、上述した実施形態の可動屋根２０を小型機用補助通路１０と併用したＰＢＢ１は、小型機から大型機まで広範囲の航空機ＡＰに広く対応可能となる。
なお、本実施形態では、小型機用補助通路１０が収納位置と通路形成位置との間を旋回する構造としたが、これに限定されることはなく、例えばスライドする構造など他の公知の方式を採用してもよい。
【００３８】
そして、上述した実施形態のＰＢＢ１は、ヘッド４の上部に可動屋根２０を設置し、この可動屋根２０が、ヘッド上部に位置する収納位置及びヘッド上部から航空機ＡＰの機体上方側へ突出する通路形成位置の間を移動可能とされ、小型機用補助通路１０の使用時に可動屋根２０で上方を覆う乗降通路形成方法により、ターミナルビルと航空機ＡＰとの間を連結して旅客の乗降通路を形成し、ヘッド４と航空機ＡＰの乗降口Ｅとの間が小型機用補助通路１０により連結されて乗降通路を形成する場合においても、乗降客に降雨の影響が及ぶことを防止できる。
また、可動屋根２０は、ヘッド上部に位置する収納位置及びヘッド上部から航空機ＡＰの機体上方側へ突出する通路形成位置の間を移動可能とされるので、ＰＢＢ１を小型機に適用し、小型機用補助通路１０を使用して乗降通路を形成する場合においても、小型機のエアステアに妨げられることなく通路上方を覆って乗降客に降雨の影響が及ぶことを防止する降雨対策が可能となる。
【００３９】
このように、上述した実施形態のＰＢＢ１及びその乗降通路形成方法は、従来の中大型機用ＰＢＢに小型機用補助通路１０を設けたＰＢＢ１を小型機に適用可能とし、しかも、小型機のエアステアに妨げられることなく形成された乗降通路は、雨や風の侵入を防止または抑制したものとなる。
なお、本発明は上述した実施形態に限定されることはなく、その要旨を逸脱しない範囲内において適宜変更することができる。
【符号の説明】
【００４０】
１    パッセンジャー・ボーディング・ブリッジ（ＰＢＢ）
２    ロタンダ
３    トンネル部
４    ヘッド
７    幌
１０    小型機用補助通路
２０    可動屋根
２０ａ    屋根内面
２０ｂ    先端部
２１    ガイドレール
２２    屋根支持ローラ
２３    駆動装置
３０    側面カーテン
３１    カーテンレール
３１ａ    先端部
３６    ヒンジ
３７    コイルばね
４０    カーテン
５０    側壁部
ＡＰ    航空機
Ｅ    乗降口
Ｄ    ドア
【図１】
0006523632.tif 000002
【図２】
0006523632.tif 000003
【図３】
0006523632.tif 000004
【図４】
0006523632.tif 000005
【図５】
0006523632.tif 000006
【図６】
0006523632.tif 000007
【図７】
0006523632.tif 000008
【図８】
0006523632.tif 000009
【図９】
0006523632.tif 000010
【図１０】
0006523632.tif 000011